(57)【要約】本発明は、動映像カレンダーシステムに関するもので、動映像カレンダーに対する出力環境を設定する環境設定部と、動映像データーとカレンダー構成データーおよび環境設定情報を貯蔵する貯蔵部と、前記環境設定情報に従い動映像データーとカレンダー構成データーとを選択し、これを合成して出力される動映像カレンダーを生成する動映像カレンダー生成部と、生成された動映像カレンダーを画面出力する表示部と、システム全般を制御する制御部とを含み、ＧＵＩ（Graphical User Interface）環境の運営体制（ＯＳ：Operating System）で提供する背景画面を動映像カレンダーに具現することによって、使用者に風変わりな楽しさを提供し、使用者の設定に従い多様な変化を与えられるようにしたものである。
2004537087.tif 000002
【特許請求の範囲】
【請求項１】
動映像カレンダーに対する出力環境を設定する環境設定部と；
少なくとも１以上の動映像データーと、少なくとも１以上のカレンダー構成データーおよび前記環境設定部により設定された環境設定情報を貯蔵する貯蔵部と；
前記環境設定部情報に従い前記貯蔵部から動映像データーとカレンダー構成データーとを選択し、これを合成して出力される動映像カレンダーを生成する動映像カレンダー生成部と；
前記動映像カレンダー生成部によって生成された動映像カレンダーを画面出力する表示部と；
システム全般を制御する制御部と；
を含むことを特徴とするクライアントコンピュータで実行可能な動映像カレンダーシステム。
【請求項２】
前記動映像カレンダーに表示される各日付別に、クライアントから所定の文字の入力を受け、これを前記貯蔵部に貯蔵し、クライアントからの選択情報に従いこれを出力するダイアリー処理部をさらに含むことを特徴とする特許請求の範囲第１項に記載のクライアントコンピュータで実行可能な動映像カレンダーシステム。
【請求項３】
ネットワークに連結されてデーターを送受信する通信部と；
前記通信部を介して動映像データーとカレンダー構成データーとを所定のサーバーから受信して前記貯蔵部に貯蔵するデーター更新部とをさらに含むことを特徴とする特許請求の範囲第１項または第２項に記載のクライアントコンピュータで実行可能な動映像カレンダーシステム。
【請求項４】
前記データー更新部が、前記通信部を介して動映像カレンダーに対する出力環境を設定する環境設定情報を前記所定のサーバーから受信して前記貯蔵部に貯蔵することを特徴とする特許請求の範囲第３項に記載のクライアントコンピュータで実行可能な動映像カレンダーシステム。
【請求項５】
前記データー更新部が、予約設定に含まれた予約時間に、前記サーバーから動映像データーとカレンダー構成データーとを自動的に受信して前記貯蔵部に貯蔵することを特徴とする特許請求の範囲第３項に記載のクライアントコンピュータで実行可能な動映像カレンダーシステム。
【請求項６】
前記データー更新部が、予約設定に含まれた予約時間に、前記サーバーから環境設定情報を自動的に受信して前記貯蔵部に貯蔵することを特徴とする特許請求の範囲第４項に記載のクライアントコンピュータで実行可能な動映像カレンダーシステム。
【請求項７】
前記環境設定部が、画面出力される動映像データーを、所定の周期別に異なるように出力するよう環境設定情報を設定することを特徴とする特許請求の範囲第１項または第２項または第４項乃至第６項のいずれかに記載のクライアントコンピュータで実行可能な動映像カレンダーシステム。
【請求項８】
前記環境設定部が、画面出力される動映像データーを、所定の周期別に異なるように出力するよう環境設定情報を設定することを特徴とする特許請求の範囲第３項に記載のクライアントコンピュータで実行可能な動映像カレンダーシステム。
【請求項９】
少なくとも１以上の動映像データーと、少なくとも１以上のカレンダー構成データーとを貯蔵する貯蔵部と；
クライアントコンピュータとネットワーク連結されてデーターを送受信する通信部と；
前記通信部を介して接続したクライアントコンピュータからの入力情報に従い前記貯蔵部から動映像とカレンダー構成データーとを選択し、前記通信部を介して該当クライアントコンピュータに伝送するデータ処理部と；
システム全般を制御する制御部と；
を含むことを特徴とするサーバーコンピュータで実行可能な動映像カレンダーシステム。
【請求項１０】
前記貯蔵部が、クライアントコンピュータで出力される動映像カレンダーに対する環境を設定した少なくとも１以上の環境設定情報をさらに含み；
前記データー処理部が、前記通信部を介して接続したクライアントコンピュータからの入力情報に従い前記貯蔵部から該当環境設定情報を選択し、該当クライアントコンピュータに伝送することを特徴とする特許請求の範囲第９項に記載のサーバーコンピュータで実行可能な動映像カレンダーシステム。
【請求項１１】
クライアントコンピュータから予約情報の入力を受け、該当予約情報に含まれた時間到達時、該当予約情報に従い前記動映像データーとカレンダー構成データーまたは/および前記環境設定情報を該当クライアントコンピュータに自動的に伝送するようにする予約処理部をさらに含むことを特徴とする特許請求の範囲第９項または第１０項に記載のサーバーコンピュータで実行可能な動映像カレンダーシステム。
【請求項１２】
クライアントコンピュータからの接続情報に従い使用者認証を処理する認証処理部をさらに含むことを特徴とする特許請求の範囲第９項または第１０項に記載のサーバーコンピュータで実行可能な動映像カレンダーシステム。
【請求項１３】
クライアントコンピュータからの接続情報に従い使用者認証を処理する認証処理部をさらに含むことを特徴とする特許請求の範囲第１１項に記載のサーバーコンピュータで実行可能な動映像カレンダーシステム。
【請求項１４】
少なくとも１以上の動映像データーと、少なくとも１以上のカレンダー構成データーとを貯蔵する貯蔵部と；
クライアントコンピュータとネットワーク連結されてデーターを送受信する通信部と；
前記通信部を介して接続したクライアントコンピュータからの入力情報に従い前記貯蔵部から動映像データーとカレンダー構成データーとを選択し、前記通信部を介して該当クライアントコンピュータに伝送するデーター処理部と；
サーバー側全般を制御する制御部と；
を含むサーバーモジュールと：
前記サーバーとネットワークを介して連結されてデーターを送受信する通信部と；
動映像カレンダーに対する出力環境を設定する環境設定部と；
前記環境設定情報に従い前記サーバーから受信された動映像データーとカレンダー構成データーとを合成して出力される動映像カレンダーを生成する動映像カレンダー生成部と；
前記動映像カレンダー生成部により生成された動映像カレンダーを画面出力する表示部と；
クライアント側全般を制御する制御部と；
を含むクライアントモジュールと：
を含むことを特徴とする動映像カレンダーシステム。
【請求項１５】
前記クライアントモジュールが、前記サーバーから受信した動映像データーとカレンダー構成データーおよび前記環境設定部により設定された環境設定情報を貯蔵する貯蔵部をさらに含むことを特徴とする特許請求の範囲第１４項に記載の動映像カレンダーシステム。
【請求項１６】
前記クライアントモジュールが、前記動映像カレンダーに表示される各日付別にクライアントから所定文字の入力を受け、これを前記クライアントモジュールの貯蔵部に貯蔵し、クライアントからの選択情報に従いこれを出力するダイアリー処理部をさらに含むことを特徴とする特許請求の範囲第１４項または第１５項に記載の動映像カレンダーシステム。
【請求項１７】
前記クライアントモジュールが、前記通信部を介して動映像データーとカレンダー構成データーとを所定のサーバーから受信して前記貯蔵部に貯蔵するデーター更新部をさらに含むことを特徴とする特許請求の範囲第１６項に記載の動映像カレンダーシステム。
【請求項１８】
前記サーバーモジュールが、クライアントコンピュータからの接続情報に従い使用者認証を処理する認証処理部をさらに含むことを特徴とする特許請求の範囲第１７項に記載の動映像カレンダーシステム。
【請求項１９】
前記サーバーモジュールが、クライアントコンピュータから予約情報の入力を受け、該当予約情報に含まれた時間到達時、該当予約情報に従い前記動映像データーとカレンダー構成データーまたは/および前記環境設定情報を該当クライアントコンピュータに自動的に伝送するようにする予約処理部をさらに含むことを特徴とする特許請求の範囲第１８項に記載の動映像カレンダーシステム。
【請求項２０】
前記クライアントモジュールの環境設定部が、画面出力される動映像データーを、所定周期別に異なるように出力するよう環境設定情報を設定することを特徴とする特許請求の範囲第１４項または第１５項または第１７項乃至第１９項の中いずれかに記載の動映像カレンダーシステム。
【発明の詳細な説明】
【技術分野】
【０００１】
本発明は、動映像カレンダーシステムに関するもので、ウィンドウズ９５，ウィンドウズ９８，ウィンドウズＸＰのようなＧＵＩ（Graphical User Interface）環境の運営体制（ＯＳ：Operating System）で提供する背景画面を動映像に具現する技術に関するものである。
【背景技術】
【０００２】
ＧＵＩ（Graphical User Interface）環境の運営体制（ＯＳ：Operating System）で提供する背景画面を動映像に具現する技術としては、特許出願第２００１−５６７９号（２００１．０２．０６）および第２００１−５６８０号（２００１．０２．０６）で提示した技術があった。
【０００３】
しかし、前記で提示した従来の背景画面を動映像に具現する技術は、動映像を背景画面に再生する動映像再生にのみ関わる技術で、これを活用した多様な応用技術に対する具体的な言及はなく、単にその方向性だけを提示した。
【０００４】
従って、本発明者は、このような背景画面動映像再生技術を土台にして動映像カレンダーを背景画面に具現することによって、使用者に使いやすさを提供し、さらにはこの動映像カレンダーにダイアリー機能を付与して、使用者が別途のカレンダーまたはダイアリープログラムを利用せずに、使用者自身のスケジュールを手軽に管理できるようにし、使用者の設定に従い動映像を変更することができて、使用者に多様な視覚的楽しさを提供することのできる動映像カレンダーシステムに対する研究をすることになった。
【０００５】
本発明は、前記の趣旨の下で発明されたもので、ＧＵＩ（Graphical User Interface）環境の運営体制（ＯＳ：Operating System）で提供する背景画面に再生される動映像をカレンダーと結合させ、使用者の設定によって多様な変化を与えることのできる動映像カレンダーシステムを提供することをその目的とする。
【０００６】
本発明のまた別の目的は、背景画面に再生される動映像カレンダーにダイアリー機能を含む動映像カレンダーシステムを提供することである。
【０００７】
本発明のまた別の目的は、背景画面に再生される動映像カレンダーをインターネットを介してアップデートすることのできる動映像カレンダーシステムを提供することである。
【０００８】
前記の目的を達成するための本発明の一様状によると、本発明による動映像カレンダーシステムは、動映像カレンダーに対する出力環境を設定する環境設定部と；少なくとも１以上の動映像データーと、少なくとも１以上のカレンダー構成データーおよび前記環境設定部により設定された環境設定情報を貯蔵する貯蔵部と；前記環境設定部情報に従い前記貯蔵部から動映像データーとカレンダー構成データーとを選択し、これを合成して出力される動映像カレンダーを生成する動映像カレンダー生成部と；前記動映像カレンダー生成部によって生成された動映像カレンダーを画面出力する表示部と；システム全般を制御する制御部とを含むクライアントコンピュータで実行可能なクライアントモジュールを含む。
【０００９】
本発明の付加的な様状によると、本発明による動映像カレンダーシステムは、前記動映像カレンダーに表示される各日付別に、クライアントから所定の文字の入力を受け、これを前記貯蔵部に貯蔵し、クライアントからの選択情報に従いこれを出力するダイアリー処理部をさらに含むことを特徴とする。
【００１０】
本発明の付加的な様状によると、本発明による動映像カレンダーシステムは、ネットワークに連結されてデーターを送受信する通信部と；前記通信部を介して動映像データーとカレンダー構成データーとを所定のサーバーから受信して前記貯蔵部に貯蔵するデーター更新部とをさらに含むことを特徴とする。
【００１１】
本発明のまた別の様状によると、本発明による動映像カレンダーシステムは、少なくとも１以上の動映像データーと、少なくとも１以上のカレンダー構成データーとを貯蔵する貯蔵部と；クライアントコンピュータとネットワーク連結されてデーターを送受信する通信部と；前記通信部を介して接続したクライアントコンピュータからの入力情報に従い前記貯蔵部から動映像データーとカレンダー構成データーとを選択し、前記通信部を介して該当クライアントコンピュータに伝送するデータ処理部と；システム全般を制御する制御部とを含むサーバーコンピュータで実行可能なサーバーモジュールを含むことを特徴とする。
【００１２】
本発明の付加的な様状によると、本発明による動映像カレンダーシステムは、クライアントコンピュータから予約情報の入力を受け、該当予約情報に含まれた時間到達時、該当予約情報に従い前記動映像データーとカレンダー構成データーまたは/および前記環境設定情報を該当クライアントコンピュータに自動的に伝送するようにする予約処理部をさらに含むことを特徴とする。
【００１３】
本発明の付加的な様状によると、本発明による動映像カレンダーシステムは、クライアントコンピュータからの接続情報に従い使用者認証を処理する認証処理部をさらに含むことを特徴とする。
【実施例１】
【００１４】
以下、添付の図面を参照に記述された本発明の好ましい実施例を介して、本発明を当業者が容易に理解して再現できるように詳細に説明する。
【００１５】
図１は、本発明による動映像カレンダーシステムの第１実施例に関するブロック図で、クライアントモジュールを図示したものである。
【００１６】
この実施例による動映像カレンダーシステムは、クライアントコンピュータで実行可能である。
【００１７】
図面に図示されているように、この実施例による動映像カレンダーシステムは、環境設定部１１０と、貯蔵部１２０と、動映像カレンダー生成部１３０と、表示部１４０と、ダイアリー処理部１５０と、通信部１６０と、データー更新部１７０と、制御部１８０とを含んでいる。
【００１８】
前記環境設定部１１０は、動映像カレンダーに対する出力環境を設定する。つまり、この環境設定部１１０は、クライアントである使用者からＧＵＩ（Graphical User Interface）環境の運営体制（ＯＳ：Operating System）で提供する背景画面に再生される動映像データと、前記動映像データに合成されて再生されるカレンダー構成データーに対する選択の入力を受け、環境設定情報を更新する。もし、使用者から背景画面に再生される動映像データーと、前記動映像データーに合成されて再生されるカレンダー構成データーに対する選択がなかった場合、デフォルトに予め貯蔵された動映像データーおよびカレンダー構成データーが自動的に選択される。
【００１９】
一方、この環境設定部１１０は、画面出力される動映像データーを、所定周期別に異なるように出力するよう前記環境設定情報を設定することができる。つまり、この意味は、使用者の環境設定によって日/月/週/特定記念日別に再生される動映像に変化を与えることができて、使用者に多様な視覚的楽しさを提供することができるということである。従って、この場合、再生される動映像に対する再生日時の含まれた再生リストを前記環境設定情報が含まなければならない。
【００２０】
前記貯蔵部１２０は、少なくとも１以上の動映像データーと、少なくとも１以上のカレンダー構成データーおよび前記環境設定部１１０により設定された環境設定情報を貯蔵する。つまり、この貯蔵部１２０は、動映像カレンダーを構成する多様な動映像コンテンツおよびカレンダーを構成する構成要素たちに対するデーターを貯蔵し、再生される動映像カレンダーに対する再生環境を設定した環境設定情報を貯蔵する。
【００２１】
前記動映像カレンダー生成部１３０は、前記環境設定情報に従い前記貯蔵部１２０から動映像データーとカレンダー構成データーとを選択し、これを合成して背景画面に再生される動映像カレンダーを生成する。動映像カレンダーを具現するためには、背景画面に再生される動映像にカレンダーを構成する構成要素たちを合成処理しなければならない。前記動映像カレンダー生成部１３０は、前記環境設定情報に設定された再生される動映像データーとカレンダー構成データーとを前記貯蔵部１２０からロードし、これを合成して背景画面に再生される動映像カレンダーを生成する。この時、前記動映像データーとカレンダー構成データーとを合成する時、前記環境設定情報が合成情報を含むことができる。この合成情報は、ＡＮＤ，ＯＲ，ＮＯＲ，ＸＯＲ演算などを含む合成技法または画面を分割して動映像とカレンダーが現れるようにする画面分割技法などに対する情報である。
【００２２】
前記表示部１４０は、前記動映像カレンダー生成部１３０により生成された動映像カレンダーを画面出力する。つまり、この表示部１４０は、前記動映像カレンダー生成部１３０により生成された動映像カレンダーをＧＵＩ（Graphical User Interface）環境の運営体制（ＯＳ：Operating System）で提供する背景画面に再生する。背景画面に動映像を再生する技術は、本件出願前に先出願された特許出願第２００１−５６７９号（２００１．０２．０６）および第２００１−５６８０号（２００１．０２．０６）に記載されている公知の技術なので、これに対する詳しい説明は省略する。
【００２３】
前記ダイアリー処理部１５０は、前記動映像カレンダーに表示される各日付別にクライアントから所定文字の入力を受け、これを前記貯蔵部１２０に貯蔵し、クライアントからの選択情報に従いこれを出力する。つまり、使用者は、このダイアリー処理部１５０を介して随時背景画面上で必要な情報をメモし、これを確認することができる。
【００２４】
背景画面に再生される動映像カレンダーは、動映像データーとカレンダー構成データーとを含んでおり、前記カレンダー構成データーは、数字で表示されるテキストであったりテキストのイメージである。この各テキスト、またはテキストのイメージは使用者により選択可能であり、使用者による選択時、文字出力窓をディスプレイし、この文字出力窓に使用者が文字を入力して貯蔵し、必要な時に選択して見れるようにする。このような機能を処理するのが前記ダイアリー処理部１５０である。
【００２５】
前記通信部１６０は、ネットワークに連結されてデーターを送受信する。つまり、クライアントコンピュータはこの通信部１６０を介して外部とデーターを送受信することになる。
【００２６】
前記データー更新部１７０は、前記通信部１６０を介して動映像データーとカレンダー構成データーとを所定のサーバーから受信して前記貯蔵部１２０に貯蔵する。つまり、このデーター更新部１７０は、動映像カレンダーサービスを提供する所定のサーバーに接続して動映像データーとカレンダー構成データーとをダウンロードしてこれを貯蔵し、使用者の選択によってこれを使用することによって、サーバーに支援する多様な動映像データーとカレンダー構成データーとをクライアントが利用できるようにする。
【００２７】
一方、前記のデーター更新部１７０が、前記通信部１６０を介して動映像カレンダーに対する出力環境を設定する環境設定情報を前記所定のサーバーから受信し、前記貯蔵部１２０に貯蔵することをさらに含むことができる。つまり、これは、背景画面に再生される動映像データーとカレンダー構成データーに対する情報および各種設定情報を含んだ多様な環境設定情報をサーバーに提供し、クライアントは前記通信部１６０を介してこの環境設定情報をダウンロードして貯蔵し、前記データー更新部１７０がこの環境設定情報に従い前記サーバーから該当する動映像データーとカレンダー構成データーとをダウンロードして背景画面を更新することができることを意味する。
【００２８】
また、前記データー更新部１７０は、予約設定に含まれた予約時間に、前記サーバーから動映像データーとカレンダー構成データー、または環境設定情報を自動的に受信し、前記貯蔵部１２０に貯蔵することをさらに含むことができる。つまり、クライアントが予めデーター更新に対して予約設定すると、この予約設定された日時に到達時、クライアントコンピュータが前記データー更新部１７０の動作下で自動的にサーバーに接続して、動映像データーとカレンダー構成データーまたは環境設定情報を受信するようにすることによって、自動アップデートされる。
【００２９】
前記制御部１８０は、クライアント側のシステム全般を制御する。つまり、この制御部１８０は、前記環境設定情報に設定された環境に従い、ＧＵＩ（Graphical User Interface）環境の運営体制（ＯＳ：Operating System）で提供する背景画面に選択された動映像データーおよびカレンダー構成データーが出力再生されるようにするクライアント側動映像カレンダーシステム全般を制御する。
【００３０】
前記のクライアントモジュールで実行可能な動映像カレンダーシステムの動作は、前記制御部１８０の制御下で、前記環境設定部１１０を介して動映像カレンダーに対する出力環境を設定し、この環境設定情報に従い前記動映像カレンダー生成部１３０が前記貯蔵部１２０から動映像データーとカレンダー構成データーとをロードして、これを合成して背景画面に再生される動映像カレンダーを生成し、前記表示部１４０を介してＧＵＩ（Graphical User Interface）環境の運営体制（ＯＳ：Operating System）で提供する背景画面に動映像カレンダーを再生することになる。
【００３１】
一方、前記ダイアリー処理部１５０を介して使用者が随時背景画面上で必要な情報をメモし、これを確認することができ、前記データー更新部１７０によって所定のサーバーから動映像データーとカレンダー構成データーまたは/および環境設定情報を前記通信部１６０を介して受信してこれを貯蔵し、使用者の選択に従いこれを使用することによって、サーバーに支援する多様な動映像データーとカレンダー構成データーとをクライアントが利用できるようにする。
【００３２】
この時、前記環境設定情報が、再生される動映像データーと、前記動映像データーに合成されて再生されるカレンダー構成データーに対する情報を含み、付加的に日/月/週/特定記念日別に再生される動映像に対する再生日時の含まれた再生リスト、または再生される動映像データーと前記動映像データーに合成されて再生されるカレンダー構成データーに対する合成技法、または画面分割技法などに対する情報をさらに含むようにして、再生される背景画面に変化を与えることができ、使用者に多様な視覚的楽しさを提供することができる。
【００３３】
一方、前記データー更新部１７０を介したアップデート時、予約設定に含まれた予約時間に、前記サーバーから動映像データーとカレンダー構成データーまたは環境設定情報を自動的に受信するようにすることができ、アップデートの容易性を有する。
【００３４】
図２は、本発明による動映像カレンダーシステムの第２実施例に関するブロック図で、サーバーモジュールを図示したものである。
【００３５】
この実施例による動映像カレンダーシステムは、サーバーコンピュータで実行可能である。
【００３６】
図面に図示されているように、この実施例による動映像カレンダーシステムは、貯蔵部２１０と、通信部２２０と、データー処理部２３０と、予約処理部２４０と、認証処理部２５０と、制御部２６０とを含んでいる。
【００３７】
前記貯蔵部２１０は、少なくとも１以上の動映像データーと、少なくとも１以上のカレンダー構成データーとを貯蔵する。つまり、この貯蔵部２１０は、クライアントに提供するための動映像カレンダーを構成する多様な動映像コンテンツおよびカレンダーを構成する構成要素たちに対するデーターを貯蔵し、再生される動映像カレンダーに対する再生環境を設定した環境設定情報を貯蔵する。
【００３８】
前記通信部２２０は、クライアントコンピュータとネットワーク連結されてデーターを送受信する。つまり、サーバーコンピュータは、この通信部２２０を介して接続した多数のクライアントコンピュータとデーターを送受信することになる。
【００３９】
前記データー処理部２３０は、前記通信部２２０を介して接続したクライアントコンピュータからの入力情報に従い、前記貯蔵部２１０から動映像データーとカレンダー構成データーとを選択し、前記通信部２２０を介して該当クライアントコンピュータに伝送する。
【００４０】
一方、前記データー処理部２３０は、前記通信部２２０を介して接続したクライアントコンピュータからの入力情報に従い、前記貯蔵部２１０から該当環境設定情報を選択し、該当クライアントコンピュータに伝送することができる。この場合、前記貯蔵部２１０が、クライアントコンピュータで出力される動映像カレンダーに対する環境を設定した少なくとも１以上の環境設定情報をさらに含まなければならない。
【００４１】
従って、サーバーに接続したクライアントコンピュータから入力された選択情報に従い、サーバーは、前記データー処理部２３０を介して前記貯蔵部２１０から該当要請された動映像データーとカレンダー構成データーまたは/および環境設定情報をロードし、前記通信部２２０を介して該当クライアントコンピュータにこれを伝送する。
【００４２】
前記予約処理部２４０は、クライアントコンピュータから予約情報の入力を受け、該当予約情報に含まれた時間到達時、該当予約情報に従い前記動映像データーとカレンダー構成データーまたは/および環境設定情報を該当クライアントコンピュータに自動的に伝送する。
【００４３】
つまり、各クライアントコンピュータで実行される動映像カレンダーシステムが、インターネットを介してサーバーからアップデートするための予約情報を設定しているなら、該当予約情報に含まれた日時到達時、各クライアントコンピュータは、サーバーに接続してアップデートに対する予約情報を送信し、これを受信したサーバーは、前記予約処理部２４０を介して該当予約情報に従い前記動映像データーとカレンダー構成データーまたは/および前記環境設定情報を該当クライアントコンピュータに自動的に伝送し、アップデートを施行することになる。
【００４４】
前記認証処理部２５０は、クライアントコンピュータからの接続情報に従い使用者認証を処理する。つまり、サーバーは、この認証処理部２５０を介してサーバー使用の許諾を受けた使用者認可を判断し、認証確認されたクライアントコンピュータだけがサーバーで提供する動映像カレンダーに関わる各種データーを使用できるようにする。
【００４５】
前記制御部２６０は、サーバー側のシステム全般を制御する。つまり、この制御部２６０は、ネットワーク接続したクライアントコンピュータからの入力情報に従い、動映像データーおよびカレンダー構成データーまたは/および環境設定情報をクライアントコンピュータに伝送するサーバー側動映像カレンダーシステム全般を制御する。
【００４６】
前記のサーバーモジュールで実行可能な動映像カレンダーシステムの動作は、前記制御部２６０の制御下で、前記通信部２２０を介して接続したクライアントコンピュータからの要請に従い、前記貯蔵部２１０に貯蔵された動映像データーとカレンダー構成データーまたは/および環境設定情報を前記データー処理部２３０を介してロードし、これを該当クライアントコンピュータに伝送する動作をする。
【００４７】
この時、前記予約処理部２４０を介して予約情報に含まれた日時に動映像データーとカレンダー構成データーまたは/および前記環境設定情報を該当クライアントコンピュータに自動的に伝送してアップデートを施行し、前記認証処理部２５０を介して認証確認されたクライアントコンピュータだけがサーバーで提供する動映像カレンダーに関わる各種データーを使用できるようにする。
【００４８】
従って、この実施例によって、サーバーは多様な種類の動映像データーおよびカレンダー構成データーをクライアントに提供することができるようになる。
【００４９】
図３は、本発明による動映像カレンダーシステムの第３実施例に関するブロック図で、クライアントモジュールとサーバーモジュールとを結合した場合である。
【００５０】
この実施例による動映像カレンダーシステムは、サーバーモジュール２００とクライアントモジュール１００とを含んでいる。
【００５１】
前記サーバーモジュール２００は、少なくとも１以上の動映像データーと、少なくとも１以上のカレンダー構成データーとを貯蔵する貯蔵部２１０と、クライアントコンピュータとネットワーク連結されてデーターを送受信する通信部２２０と、前記通信部２２０を介して接続したクライアントコンピュータからの入力情報に従い、前記貯蔵部２１０から動映像データーとカレンダー構成データーとを選択し、前記通信部２２０を介して該当クライアントコンピュータに伝送するデーター処理部２３０と、前記サーバー側全般を制御する制御部２６０とを含んでおり、付加的にクライアントコンピュータからの接続情報に従い使用者認証を処理する認証処理部２５０と、クライアントコンピュータから予約情報の入力を受け、該当予約情報に含まれた時間到達時、該当予約情報に従い前記動映像データーとカレンダー構成データーまたは/および前記環境設定情報を該当クライアントコンピュータに自動的に伝送する予約処理部２４０とをさらに含んでいる。
【００５２】
前記クライアントモジュール１００は、前記サーバーとネットワークを介して連結されてデーターを送受信する通信部１６０と、動映像カレンダーに対する出力環境を設定する環境設定部１１０と、前記環境設定情報に従い前記サーバーから受信された動映像データーとカレンダー構成データーとを合成して出力される動映像カレンダーを生成する動映像カレンダー生成部１３０と、前記動映像カレンダー生成部１３０によって生成された動映像カレンダーを画面出力する表示部１４０と、クライアント側全般を制御する制御部１８０とを含んでおり、付加的に前記サーバーから受信した動映像データーとカレンダー構成データーおよび前記環境設定部により設定された環境設定情報を貯蔵する貯蔵部２１０と、前記動映像カレンダーに表示される各日付別にクライアントから所定文字の入力を受け、これを前記クライアントモジュールの貯蔵部１２０に貯蔵し、クライアントからの選択情報に従いこれを出力するダイアリー処理部１５０と、前記通信部１６０を介して動映像データーとカレンダー構成データーとをサーバーから受信して前記貯蔵部１２０に貯蔵するデーター更新部１７０とをさらに含んでいる。
【００５３】
この時、前記クライアントモジュールの環境設定部１１０が、画面出力される動映像データーを所定の周期別に異なるように出力するよう環境設定情報を設定することをさらに含むことができる。
【００５４】
図３に図示された実施例のサーバーモジュールおよびクライアントモジュール各部は、前記の図１および図２に図示した実施例の同一部と同じ役割をするので、その具体的な説明は省略する。
【００５５】
本発明による動映像カレンダーシステムは、クライアントモジュール単独でも実行可能であり、この実施例に図示したように、クライアントモジュールとサーバーモジュールとを結合したオンライン方法でも実行可能である。
【００５６】
従って、上記のようにすることによって、前記で提示した本発明による動映像カレンダーシステムの目的を達成することができるようになる。
【産業上の利用可能性】
【００５７】
以上で説明したような本発明による動映像カレンダーシステムは、ＧＵＩ（Graphical User Interface）環境の運営体制（ＯＳ：Operating System）で提供する背景画面に生成される動映像をカレンダーと結合させて、使用者に風変わりな楽しさを提供し、使用者の設定に従い多様な変化を与えることができ、背景画面に再生される動映像カレンダーにダイアリー機能を含ませて、使用者が随時背景画面上で必要な情報をメモし、これを確認することのできる便利性を提供し、背景画面に再生される動映像カレンダーをインターネットを介してアップデートすることができ、多様に使用者自身の背景画面を美麗に具現することができる効果を有する。
【００５８】
本発明は、添付の図面を参照にして好ましい実施例を中心に記述されたが、当業者であれば、この記載から前述した特許請求の範囲により包括される本発明の範疇を脱することなく、多様な変形が可能であることは明白である。
【図面の簡単な説明】
【００５９】
【図１】本発明による動映像カレンダーシステムの第１実施例に関するブロック図である。
【図２】本発明による動映像カレンダーシステムの第２実施例に関するブロック図である。
【図３】本発明による動映像カレンダーシステムの第３実施例に関するブロック図である。
【図１】
2004537087.tif 000003
【図２】
2004537087.tif 000004
【図３】
2004537087.tif 000005
【国際公開パンフレット】
2004537087.tif 000006
2004537087.tif 000007
2004537087.tif 000008
2004537087.tif 000009
2004537087.tif 000010
2004537087.tif 000011
2004537087.tif 000012
2004537087.tif 000013
2004537087.tif 000014
2004537087.tif 000015
2004537087.tif 000016
2004537087.tif 000017
2004537087.tif 000018
2004537087.tif 000019
2004537087.tif 000020
2004537087.tif 000021
2004537087.tif 000022
2004537087.tif 000023
2004537087.tif 000024
2004537087.tif 000025
2004537087.tif 000026
2004537087.tif 000027
2004537087.tif 000028
2004537087.tif 000029
2004537087.tif 000030
2004537087.tif 000031
2004537087.tif 000032
2004537087.tif 000033
2004537087.tif 000034
2004537087.tif 000035
2004537087.tif 000036
2004537087.tif 000037
2004537087.tif 000038
2004537087.tif 000039
【国際調査報告】
2004537087.tif 000040
2004537087.tif 000041